【事件の表示】
　特許第３２４０４１１号「写真シール自動販売機」の請求項１ないし６、９ないし１４に係る特許に対する特許異議の申立てについて、次のとおり決定する。
【結　論】
　訂正を認める。
　特許第３２４０４１１号の請求項１ないし６、９ないし１２に係る特許を維持する。
【理　由】
【１】手続の経緯
　特許第３２４０４１１号の請求項１乃至１４に係る発明についての出願は、平成１３年４月２６日に特許出願され、平成１３年１０月１９日にその発明について特許権の設定登録がなされ、その後、その請求項１，３，６，１０〜１４に係る発明について、申立人・重冨與八郎より、また、その請求項１〜６，９〜１４に係る発明について、申立人・井上容子より、それぞれ特許異議の申立てがなされ、取消しの理由が通知され、その指定期間内である平成１４年９月２４日に訂正請求がなされたものである。
　
【２】訂正の適否についての判断
［１］訂正の内容
　訂正の内容は、平成１４年９月２４日付けの訂正請求書及びそれに添付された訂正明細書の記載からみて、以下のとおりである。
ア）訂正事項１
　特許請求の範囲の請求項１１において、
「上記撮影手段にて被写体を撮像して上記表示手段に表示し」を「上記
撮像
「該撮影手段にて被写体を撮像領域の天井部から撮像し」を「該
撮像
それぞれ訂正する。
イ）訂正事項２
　特許請求の範囲の請求項１３を削除する。
ウ）訂正事項３
　特許請求の範囲の請求項１４を削除する。
エ）訂正事項４
　明細書の段落【００２６】において、
「上記撮影手段にて被写体を撮像して上記表示手段に表示し」を「上記
撮像
「該撮影手段にて被写体を撮像領域の天井部から撮像し」を「該
撮像
それぞれ訂正する。
オ）訂正事項５
　同段落【００２８】において、「また、この発明は、・・・できる。」の記載を削除する。
カ）訂正事項６
　同段落【００２９】において、「また、この発明は、・・・できる。」の記載を削除する。
キ）訂正事項７
　同段落【００２７】において、「撮影手段」を「
撮像
［２］訂正の目的の適否、新規事項の有無、及び特許請求の範囲の拡張・変更の存否
　上記訂正事項１，４及び７は、特許請求の範囲の請求項１１，段落【００２６】及び段落【００２７】のそれぞれにおいて、誤って記載されていた「撮影手段」なる記載を「撮像手段」と訂正するものであるから、 誤記の訂正を目的とするものである。
　また、上記訂正事項２及び３は、請求項を削除する訂正であるから、特許請求の範囲の減縮を目的とするものである。
　さらに、上記訂正事項５及び６は、上記訂正事項２及び３に伴い、発明の詳細な説明を特許請求の範囲と整合させるためのものであるから、明りょうでない記載の釈明を目的とするものである。
　そして、上記いずれの訂正事項も、新規事項の追加に該当せず、「斬新なカメラアングルでの撮像写真シールを得る」という課題に変更を及ぼすものでもないから、実質上特許請求の範囲を拡張し、又は変更するものでもない。
［３］むすび
　以上のとおりであるから、上記の訂正は、特許法第１２０条の４第２項の規定及び同条第３項で準用する同法第１２６条第２項及び第３項の規定に適合するので、当該訂正を認める。
　
【３】特許異議の申立てについての判断
　
［１］特許異議の申立ての概要
　（１）申立人・重冨與八郎は、証拠方法として、甲第１号証（特開２００１−２９６６００号公報）及び甲第２号証（実願昭６０−１７９２２５号［実開昭６２−８６７８６号］のマイクロフィルム）を提出し、本件請求項１，６，１１〜１４に係る発明は、甲第１号証に係る出願の願書に最初に添付した明細書又は図面（以下、「先願明細書」という。）に記載された発明と同一であって、特許法第２９条の２の規定により特許を受けることができないものであり、また、本件請求項１，３，１０に係る発明は、甲第１号証及び甲第２号証に記載された発明に基いて当業者が容易に発明をすることができたものであって、特許法第２９条第２項の規定により特許を受けることができないものであるから、本件請求項１，３，６，１０〜１４に係る発明についての特許を取り消すべきである旨主張している。
　（２）また、申立人・井上容子は、証拠方法として、甲第１号証（特開平１１−２３４６０３号公報）、甲第２号証（特許第３０２１６３８号公報）、甲第３号証（実願平３−９５１４３号［実開平５−４４９６６号］のＣＤ−ＲＯＭ）、甲第４号証（特公平５−３７６６１号公報）、甲第５号証（登録実用新案第３０６２１９５号公報）、甲第６号証（特開２０００−８１６５２号公報）、甲第７号証（実願平５−１７２１６号［実開平６−７０３７４号］のＣＤ−ＲＯＭ）、甲第８号証−１（特開平１１−６９２６８号公報）そして甲第８号証−２（特開平１０−３３４３４２号公報）を提出し、本件請求項１〜６，９〜１４に係る発明は、甲第１〜８号証に記載された発明に基いて当業者が容易に発明をすることができたものであって、特許法第２９条第２項の規定により特許を受けることができないものであるから、本件請求項１〜６，９〜１４に係る発明についての特許を取り消すべきである旨主張している。
　
［２］本件請求項１〜６，９〜１２に係る発明
　上記【２】で示したように訂正が認められるので、本件請求項１〜６，９〜１２に係る発明（以下、「本件発明１〜６，９〜１２」という。）は、上記訂正請求書に添付された訂正明細書の特許請求の範囲の請求項１〜６，９〜１２に記載された事項により特定される次のとおりのものである。
【請求項１】
　被写体を撮像する撮像手段と、
　被写体を照明する照明手段と、
　画像や必要事項を表示する表示手段と、
　操作を入力する入力手段と、
　上記撮像手段で撮像した被写体の写真シールをプリントして放出する印刷手段と、
　これら構成要素を制御する制御手段とを備えた写真シール自動販売機であって、
　上記撮像手段はレンズを下側に向けて撮像領域の天井部に設置し、
　上記天井部撮像手段の近傍に天井からの撮像ポーズを確認するポーズ確認手段を設けた
　写真シール自動販売機。
【請求項２】
　上記照明手段は床部または床部近傍に配置された
　請求項１記載の写真シール自動販売機。
【請求項３】
　上記ポーズ確認手段は上記天井部撮像手段が撮像した撮像ポーズを確認するモニタ装置で形成した
　請求項１記載の写真シール自動販売機。
【請求項４】
　ズーム機能を備えた撮像手段にて上記撮像手段を形成した
　請求項１、２又は３記載の写真シール自動販売機。
【請求項５】
　ズーム機能を備えた撮像手段にて上記撮像手段を形成し、上記モニタ装置は上記撮像手段が撮像している画像を上記ズーム機能に合わせて拡大、縮小表示する
　請求項３記載の写真シール自動販売機。
【請求項６】
　被写体を撮像する撮像手段と、
　被写体を照明する照明手段と、
　画像や必要事項を表示する表示手段と、
　操作を入力する入力手段と、
　上記撮像手段で撮像した被写体の写真シールをプリントして放出する印刷手段と、
　これら構成要素を制御する制御手段とを備えた
　写真シール自動販売機であって、
　上記撮像手段はレンズを下側に向けて天井部に設置された第１の撮像手段と、
　筐体側に設けられた第２の撮像手段とを備え、
　上記第１、第２の撮像手段の各近傍に、各撮像手段に対応して各撮像手段側からの撮像ポーズを確認するポーズ確認手段を設け、
　上記入力手段の操作に基づいて撮像手段を選択して切換える切換え手段を設けた
　写真シール自動販売機。
【請求項９】
　ズーム機能を備えた撮像手段にて少なくとも上記第１の撮像手段を形成した
　請求項６、７又は８記載の写真シール自動販売機。
【請求項１０】
　少なくとも上記第１の撮像手段に対応するポーズ確認手段は、上記第１の撮像手段が撮像した撮像ポーズを確認するモニタ装置で形成した
　請求項６、７、８又は９記載の写真シール自動販売機。
【請求項１１】
　被写体を撮像する撮像手段と、
　被写体を照明する照明手段と、
　画像や必要事項を表示する表示手段と、
　操作を入力する入力手段と、
　上記撮像手段の近傍に設け撮像ポーズを確認するポーズ確認手段と、
　上記撮像手段で撮像した被写体の写真シールをプリントして放出する印刷手段と、
　これら構成要素を制御する制御手段とを備え、
　上記入力手段にて操作されて、上記制御手段にて制御して上記照明手段で被写体を照らし、上記撮像手段にて被写体を撮像して上記表示手段に表示し、上記印刷手段にて被写体の写真シールをプリントして放出する写真シール自動販売方法であって、
　上記撮像手段はレンズを下側に向けて撮像領域の天井部に設置され、該撮像手段にて被写体を撮像領域の天井部から撮像し、撮像ポーズをポーズ確認手段で確認可能にした
　写真シール自動販売方法。
【請求項１２】
　上記撮像手段で被写体を撮像領域の天井部から撮像した画像を上記印刷手段にて写真シールをプリントして放出する
　請求項１１記載の写真シール自動販売方法。
　
［３］甲各号証に記載の発明又は事項
［３−ａ］申立人・重冨與八郎が甲第１号証として提出した特開２００１−２９６６００号公報に係る出願の先願明細書には、写真自販機に関するものであって、
（１）
『【００１９】上記筐体１の内部空間には、被写体２を撮影する３台のカメラ６Ａ，６Ｂ，６Ｃと、上記カメラ６Ａ，６Ｂ，６Ｃから画像信号を受信して画像の合成等を行うコンピュータ装置７と、このコンピュータ装置７から送信された合成画像等の画像信号を受信して画像を表示するディスプレイ８とが設けられている。
【００２０】上記３台のカメラ６Ａ，６Ｂ，６Ｃは、３台縦に並べて配置され、最も上には、被写体を俯瞰撮影する第１カメラ６Ａが配設され、その下には、被写体２を略目の高さから撮影する第２カメラ６Ｂが配設され、最も下には、被写体２を足下から仰視する第３カメラ６Ｃが配設されている。』（公報第３頁右欄第１６〜２７行参照）
なる記載、
（２）
『【００２４】また、上記筐体１の内部空間には、コンピュータ装置７から送信された合成画像の信号を受信し、この合成画像を記録媒体（図示せず）に印刷するプリンタ９が設けられている。このプリンタ９で印刷された記録媒体は、筐体１前面に形成された送出口１５から送出されるようになっている。
【００２５】上記ディスプレイ８の近傍には、タッチペン１２が備えられている。上記ディスプレイ８（例えば、ＬＣＤタブレット，タッチパネル等が用いられる）に表示される操作画面の指示にしたがってタッチペン１２の先端を画面に接触させることにより、コンピュータ装置７に操作信号を送信しうるようになっている。』（同第４頁左欄第２〜１３行参照）
なる記載、
（３）
『【００２８】また、上記第１〜第３カメラ６Ａ，６Ｂ，６Ｃの左右には、それぞれ被写体２を照射する一対の第１〜第３ライト１３Ａ，１３Ｂ，１３Ｃが設けられている。これにより、第１〜第３カメラ６Ａ，６Ｂ，６Ｃで撮影する場合に、それぞれ最適なライティングが行えるようになっている。』（同第４頁左欄第３０〜３５行参照）
なる記載、
（４）
『【００３１】図４に示すように、上記コンピュータ装置７は、画像の合成を行う画像合成手段３０と、第１〜第３カメラ６Ａ，６Ｂ，６Ｃによる撮影や画像の合成等の制御を行う制御部１６とを備えている。』（同第４頁左欄第４６〜４９行参照）
なる記載及び
（５）
『【００４１】ここで、第１カメラ６Ａでは、被写体を斜め上から俯瞰した画像が・・・・・（中略）・・・・・撮影される。撮影するカメラが決定されると、そのカメラでの撮影が開始され、撮影画像がリアルタイムにディスプレイ８に表示される（Ｓ２）。このとき、被写体は、ミラー１０Ａ，１０Ｂ，１０Ｃに映る撮影範囲を確認しながら好みのポーズをとり、仕上がり状態を確認しながら撮影できる。』（同第４頁右欄第４８行〜第５頁左欄第７行参照）
なる記載、そして
（６）図１，２，４の記載内容、
等からみて、下記の発明イ及び発明ロが記載されていると認められる。
【発明イ】
　被写体２を撮影するカメラ６Ａ，６Ｂ，６Ｃと、
　被写体２を照射する第１〜第３ライト１３Ａ，１３Ｂ，１３Ｃと、
　撮影画像や操作画面を表示するディスプレイ８と、
　操作を入力するペン入力部３５と、
　上記カメラ６Ａ，６Ｂ，６Ｃで撮影した被写体２の記録媒体を印刷して送出するプリンタ９と、
　これら構成要素を制御する制御部１６とを備えた写真自販機であって、
　上記カメラ６Ａは筐体１の最も上の下向き斜面に、被写体２を俯瞰撮影するように配設され、その下には、被写体２を略目の高さから撮影するように第２カメラ６Ｂが配設され、最も下には、被写体２を足下から仰視するように第３カメラ６Ｃが配設され、
　上記カメラ６Ａ，６Ｂ，６Ｃの各近傍に、各カメラ６Ａ，６Ｂ，６Ｃに対応して各カメラ６Ａ，６Ｂ，６Ｃ側からのポーズを確認するミラー１０Ａ，１０Ｂ，１０Ｃを設け、
　上記ペン入力部３５の操作に基づいてカメラ６Ａ，６Ｂ，６Ｃを選択して切換えるカメラ切替手段３３を設けた写真自販機。
【発明ロ】
　被写体２を撮影するカメラ６Ａ，６Ｂ，６Ｃと、
　被写体２を照射する第１〜第３ライト１３Ａ，１３Ｂ，１３Ｃと、
　撮影画像や操作画面を表示するディスプレイ８と、
　操作を入力するペン入力部３５と、
　上記カメラ６Ａ，６Ｂ，６Ｃの近傍に設けポーズを確認するミラー１０Ａ，１０Ｂ，１０Ｃと、
　上記カメラ６Ａ，６Ｂ，６Ｃで撮影した被写体２の記録媒体を印刷して送出するプリンタ９と、　
　これら構成要素を制御する制御部１６とを備え、
　上記ペン入力部３５にて操作されて、上記制御部１６にて制御して上記第１〜第３ライト１３Ａ，１３Ｂ，１３Ｃで被写体２を照らし、上記カメラ６Ａ，６Ｂ，６Ｃにて被写体２を撮影して上記ディスプレイ８に表示し、上記プリンタ９にて被写体２の記録媒体を印刷して送出する写真自販手段であって、
　上記カメラ６Ａは筐体１の最も上の下向き斜面に、被写体２を俯瞰撮影するように配設され、ポーズをミラー１０Ａで確認可能にした写真自販手段。
［３−ｂ］同じく申立人・重冨與八郎が甲第２号証として提出した実願昭６０−１７９２２５号（実開昭６２−８６７８６号）のマイクロフィルムには、その実用新案登録請求の範囲の記載及び図面の記載内容等からみて、下記の事項ハが記載されていると認められる。
【事項ハ】
　各プレイヤー１の練習場所２ａ〜２ｄを整列配置したスポーツ練習場の練習場所整列ラインの上方に沿って設けた走行軌道３と、この走行軌道３に走行可能に設置されて前記練習場所２ａ〜２ｄの前記プレイヤー１を前方、側方、後方の斜め上方位置から撮影するビデオカメラ４と、このビデオカメラ４の上方に回転台６を介して接続しビデオカメラ４で撮影したプレイヤー１のフォームやスイングの練習状況の収録映像を一定時間後プレイヤー１に表示するモニタ手段５とを備えたスポーツ練習場のモニタ装置。
［３−ｃ］申立人・井上容子が甲第１号証として提出した特開平１１−２３４６０３号公報には、
（１）公報第３頁第３欄第１〜２１行の
『この図に示す映像プリント遊戯装置１００は、大別して本体１とカメラ配設部１０とから構成されている。本体１には、モニタ・ディスプレイ２、操作パネル３、プリント排出口６等が設けられている。操作パネル３には、コイン投入口４及び撮影ボタン５が設けられている。
【００１２】カメラ配設部１０には、図２に示すように、撮影手段としての５台のＣＣＤカメラ１１〜１５が配置されている。各カメラの下には、液晶モニタ２１〜２５が設けられている・・・また、各カメラの上には、照明手段としてのフラッシュ３１〜３５が設けられている・・・照明手段としては蛍光燈などを使用しても良い。
【００１３】５台のカメラ１１〜１５は略半円状に並べられ、被写体としての人物が本装置を操作するために操作パネル３の前に立ったとき、被写体と各カメラの距離が均等になるように配置されている。なお、各カメラ１１〜１５は、図３に示すように、やや下向きに取り付けられている。』
なる記載、
（２）同第３頁第３欄第２２〜２９行の
『【００１４】図３は、映像プリント遊戯装置１００の内部構成を示す縦断面図である。この図に示すように、本体１の内部には、モニタ・ディスプレイ２の他、制御部４０、プリンタ５０等が内蔵される。モニタ・ディスプレイ２及びプリンタ５０は制御部４０に接続され、また、カメラ配設部１０の夫々５台のカメラ１１〜１５及び液晶モニタ２１〜２５も制御部４０に接続されている。』
なる記載及び
（３）同第３頁第４欄第１４〜２７行の
『【００１７】装置が動作を開始すると、モニタ画面２に操作の説明を表示すると共に、各カメラの下に設けられた液晶モニタ２１〜２５に各カメラが撮影している映像を表示する。このとき液晶モニタ２１〜２５に表示される映像は各カメラが現在撮影している動画であり、ユーザは、液晶モニタ２１〜２５に表示される映像を見ながら、表情やポーズあるいは立つ位置などを調整する。なお、装置コストを低減させるために、液晶モニタ２１〜２５に代えて、鏡を配置してもよい。
【００１８】ここで、モニタ画面２には、操作説明の表示の後、どれかのカメラが撮影している映像に切り替えて表示するように構成することもできる。また、モニタ画面２に表示する映像を映すカメラをユーザが指定する（切り替える）ようにしても良い。』
なる記載、そして
（４）図１〜４の記載内容、
等からみて、下記の発明ニ及び発明ホが記載されていると認められる。
【発明ニ】
　被写体を撮影する撮影手段としての５台のＣＣＤカメラ１１〜１５と、
　被写体を照明する照明手段としてのフラッシュ３１〜３５と、
　映像や操作の説明を表示するモニタ・ディスプレイ２と、
　操作を入力する操作パネル３と、
　上記撮影手段１１〜１５で撮影した被写体のプリント画像を印刷して排出するプリンタ５０と、
　これら構成要素を制御する制御部４０とを備えた映像プリント遊戯装置１００であって、
　上記撮影手段１１〜１５は本体１上部のカメラ配設部１０に略半円状に並べてやや下向きに取り付けられ、
　上記撮影手段１１〜１５の下側に表情やポーズを調整する液晶モニタ２１〜２５あるいは鏡を設け、
　上記操作パネル３の操作に基づいて撮影手段１１〜１５を選択して切り替えるカメラ指定手段を設けた映像プリント遊戯装置１００。
【発明ホ】
　被写体を撮影する撮影手段としての５台のＣＣＤカメラ１１〜１５と、
　被写体を照明する照明手段としてのフラッシュ３１〜３５と、
　映像や操作の説明を表示するモニタ・ディスプレイ２と、
　操作を入力する操作パネル３と、
  上記撮影手段１１〜１５の下側に設け表情やポーズを調整する液晶モニタ２１〜２５あるいは鏡と、
　上記撮影手段１１〜１５で撮影した被写体のプリント画像を印刷して排出するプリンタ５０と、
　これら構成要素を制御する制御部４０とを備え、
　上記操作パネル３にて操作されて、上記制御部４０にて制御して上記照明手段３１〜３５で被写体を照らし、上記撮影手段１１〜１５にて被写体を撮影して上記モニタ・ディスプレイ２に表示し、上記プリンタ５０にて被写体のプリント画像を印刷して排出する映像プリント遊戯方法であって、
　上記撮影手段１１〜１５は本体１上部のカメラ配設部１０に略半円状に並べてやや下向きに取り付けられ、表情やポーズを液晶モニタ２１〜２５あるいは鏡で調整可能にした映像プリント遊戯方法。
［３−ｄ］同じく申立人・井上容子が甲第２号証として提出した特許第３０２１６３８号公報には、下記の事項ヘが記載されていると認められる。
【事項ヘ】
　自動写真撮影装置において、ボックス構造体１の内部に設けられるカメラ２０が、写真撮影帯域３内に在る被写体に対して、直接的に、かつ下方に向けて指向せしめられ得ること。
［３−ｅ］同じく申立人・井上容子が甲第３号証として提出した実願平３−９５１４３号（実開平５−４４９６６号）のＣＤ−ＲＯＭには、その実用新案登録請求の範囲の記載及び図面の記載内容等からみて、下記の事項トが記載されていると認められる。
【事項ト】
  監視用のＴＶカメラ４を備えたエレベータの乗かごにおいて、乗かごの天井２に前記ＴＶカメラ４を取付け、前記ＴＶカメラ４で撮影した被写体映像である乗客５の映像を映し出すＴＶ受像機３を、乗かご内の側壁１上部の乗客５がすぐ気付く位置に取付けたことを特徴とするエレベータの防犯装置。
［３−ｆ］同じく申立人・井上容子が甲第４号証として提出した特公平５−３７６６１号公報には、公報第１頁第２欄第２７行〜第２頁第３欄第８行における記載内容及び第１，２図の記載内容等からみて、下記の事項チが記載されていると認められる。
【事項チ】
  練習者１の正面、頭上、後方にテレビカメラ２，６，９を設置し、ビデオデッキ３，７，１０を介して練習者１をリアルタイム、再生、スロー、ストップモーション等の映像で写し出すテレビ４，８，１１を、練習者１が画面を見易い練習者１の前面位置に各画面を比較し又理解し易い様に製図の投影法風図面状に設置し、各テレビ４，８，１１の画面に各テレビカメラ２，６，９で撮影した練習者１の正面、頭上、後方からの映像を同時同期再生して参照することによって、練習者１が自身のフォーム等を理解解析し易いようにしたゴルフ練習用ビデオ装置。
［３−ｇ］同じく申立人・井上容子が甲第５号証として提出した登録実用新案第３０６２１９５号公報には、図６の記載内容及び【０００８】における図６に関する記載内容等からみて、下記の事項リが記載されていると認められる。
【事項リ】
　合成画像プリント装置が、カメラ、ディスプレイ装置、プリンタ、主照明装置１１Ａ〜１１Ｃ等を収容する本体部筐体１と、背景部筐体２と、床板３と、屋根部４とから構成され、前記背景部筐体２には、前記主照明装置１１Ａ〜１１Ｃからの照明光が照射される一側部が開口し、撮影対象の被写体２０が収容可能な空間を有する撮影室１８と、この撮影室１８に入室した被写体２０の背面側および床面側から所定の彩度と明度の背面光を照射する従照明装置１９Ａ〜１９Ｂとが設けられていること。
［３−ｈ］同じく申立人・井上容子が甲第６号証として提出した特開２０００−８１６５２号公報には、公報第２頁第２欄【００１３】における記載内容及び図１の記載内容等からみて、下記の事項ヌが記載されていると認められる。
【事項ヌ】
  ストロボ３は、当該撮影システムにおける撮影用の照明装置であって、天井から吊り下げ、キーライトとなるストロボ３ａと、床に設置され、キーライトで作る影を和らげるフィルライトとなるストロボ３ｂ等とを備えていること。
［３−ｉ］同じく申立人・井上容子が甲第７号証として提出した実願平５−１７２１６号（実開平６−７０３７４号）のＣＤ−ＲＯＭには、【００１１】における記載内容及び図１，２の記載内容等からみて、下記の事項ルが記載されていると認められる。
【事項ル】
  当該ポートレート撮影装置を利用する場合は、出入口のカーテン１５を開放して撮影室１２の中に入り、カーテン１５を閉じ、被写体は椅子１３に腰掛けて、操作盤４の位置調整手段である操作杆を操作して電子カメラ等の光学装置２の光軸を移動、ズーム倍率を設定して、モニタ部３に映し出される映像を眺めて撮影位置や倍率を設定して撮影範囲を決めるようにすること。
［３−ｊ］同じく申立人・井上容子が甲８第号証−１として提出した特開平１１−６９２６８号公報には、【００１７】における記載内容及び図７の記載内容等からみて、下記の事項オが記載されていると認められる。
【事項ヲ】
  合成写真シール作成装置においては、モニターディスプレイとして液晶ディスプレイ１６を用いており、この液晶ディスプレイ１６内中央部にＣＣＤカメラ５を内蔵せしめており、従ってこの場合には、他例のようにモニターディスプレイ３の外部にあるカメラに視線を向ける必要がなく背景画面中央部を見ていればよいので、格別な装置を講ずる必要がなくフレーム枠背景とカメラに対する視線とが極くマッチした自然の状態の撮影ができること。
（ｋ）同じく申立人・井上容子が甲８第号証−２として提出した特開平１０−３３４３４２号公報には、【００３１】における記載内容及び図２の記載内容等からみて、下記の事項ワが記載されていると認められる。
【事項ワ】
　カメラ４０は、ポスターの購入者の容姿を撮影するためのものであり、カラー撮影が可能なＣＣＤカメラなどが適用され、このカメラ４０は、モニタ画面部７０の透明ガラス７８よりも奥部に設けられたハーフミラー７６のさらに後方へ配置されており、カメラ４０は、上記ハーフミラー７６に直接対向させてもよいが、本実施形態では、上記ハーフミラー７６の後方に、モニタ画面部７０に対して４５°の角度で傾斜する反射ミラー７７をさらに設けた上で、この反射ミラー７７にカメラ４０を対向させており、このような設定によると、モニタ画面部７０の前方に立つ購入者をカメラで撮影するときに、反射ミラー７７によって反射されて左右が反転された購入者の画像を撮影することができ、その後の撮影画像のデータ処理をＣＲＴ４１に映しだす処理やポスターの購入者がカメラ撮影の位置決めなどを行う上で便利となること。
　
［４］対比・判断
［４−１］特許法第２９条の２について
　本件発明１〜６，９，１０と申立人・重冨與八郎が提出した甲第１号証（特開２００１−２９６６００号公報）に係る先願明細書に記載された発明イとを対比すると、発明イには、少なくとも「写真シール自動販売機」としての本件発明１〜６，９，１０を共通して特定する事項である「撮像手段」を「天井部に設置」した構成が具備されていない。
　また、本件発明１１，１２と該先願明細書に記載された発明ロとを対比すると、発明ロには、少なくとも「写真シール自動販売方法」としての本件発明１１，１２を共通して特定する事項である「撮像手段」を「天井部に設置」した構成が具備されていない。
　確かに、上記発明イ及びロは、筐体の最も上に、被写体を俯瞰撮影するように設置されたカメラ（本件発明１〜６，９〜１２の「撮像手段」に相当）を有するものではあるが、このものは、カメラを筐体上部の下向き斜面に設置したものであり、「筐体」とは別個の概念である「天井部」に設置されたものとはいえない。
　したがって、本件発明１〜６，９〜１２が上記甲第１号証に係る先願明細書に記載された発明と同一のものとは認められない。
［４−２］特許法第２９条第２項について
  申立人・重冨與八郎は、本件発明１，３，１０に対し、特許法第２９条第２項の規定を適用する根拠とされる刊行物に、特開２００１−２９６６００号公報（甲第１号証）を挙げているが、該公報は、本件出願の後の平成１３年１０月２６日に出願公開されたものであるから、公知文献として採用することはできない。
（１）本件発明１〜６，９，１０について
　本件発明１〜６，９，１０と上記発明ニとを対比すると、発明ニには、少なくとも「写真シール自動販売機」としての本件発明１〜６，９，１０を共通して特定する事項である、「撮像手段はレンズを下側に向けて天井部に設置」した構成が含まれておらず、また、発明ニが、かかる構成を示唆したものであるともいえない。
　確かに、発明ニは、５台のＣＣＤカメラ（本件発明１〜６，９，１０の「撮像手段」に相当）が本体上部のカメラ配設部に略半円状に並べてやや下向きに取り付けられた映像プリント遊戯装置（同「写真シール自動販売機」に相当）ではあるが、このものにおける５台のＣＣＤカメラは、装置の本体上部のカメラ配設部に設置されたものであり、「装置の本体」とは別個の概念である「天井部」に設置されたものではない。
　上記構成について、上記事項ハ、ヘ〜ワとの関連性を以下検討する。
　事項ハ及び事項チは、ビデオカメラあるいはテレビカメラをプレイヤーの上方あるいは頭上に設置する技術を開示するものであるが、いずれもスポーツ練習装置に関するものであり、映像プリント遊戯装置とは技術分野及び課題を異にするものであるから、事項ハ及び事項チに開示された技術的事項を発明ニに組み合わせること自体、その必然性がなく、当業者といえども容易になし得ないところである。
　事項トは、ＴＶカメラをエレベータの天井に設置する技術を開示するものであるが、防犯装置に関するものであり、映像プリント遊戯装置とは技術分野及び課題を異にするものであるから、事項トに開示された技術的事項を発明ニに組み合わせること自体、その必然性がなく、当業者といえども容易になし得ないところである。
　事項ヘ、リ〜ワは、撮像手段を天井部に設置した構成を何等開示するものではない。
　そして、本件発明１〜６，９，１０は、上記の構成を有することにより、
『被写体を真上から見下ろし撮像することができ、斬新なカメラアングルでの撮像写真シールを得ることができる効果がある』（特許明細書の段落【０１３９】参照。）、及び、『被写体の人物が天井に向いた状態で撮像するとき、被写体が天井向きの撮像ポーズのままで真上から見たポーズの確認ができ、希望するポーズが取りやすい効果がある』（同段落【０１４０】参照。）という効果を奏するものと認められる。
　したがって、本件発明１〜６，９，１０が、上記発明ニ及び事項ハ、ヘ〜ワに基いて当業者が容易に発明をすることができたものであるとは認められない。
（２）本件発明１１，１２について
　本件発明１１，１２と上記発明ホとを対比すると、発明ホには、少なくとも「写真シール自動販売方法」としての本件発明１１，１２を共通して特定する事項である、「撮像手段はレンズを下側に向けて撮像領域の天井部に設置」した構成が具備されておらず、また、発明ホが、かかる構成を示唆したものであるともいえない。
　確かに、発明ホは、５台のＣＣＤカメラ（本件発明１１，１２の「撮像手段」に相当）が本体上部のカメラ配設部に略半円状に並べてやや下向きに取り付けられた映像プリント遊戯方法（同「写真シール自動販売方法」に相当）ではあるが、このものにおける５台のＣＣＤカメラは、装置の本体上部のカメラ配設部に設置されたものであり、「装置の本体」とは別個の概念である「天井部」に設置されたものではない。
　上記構成に対する、上記事項ハ、ヘ〜ワとの関連性については、上記（１）で検討したとおりである。
　そして、本件発明１１，１２は、上記の構成を有することにより、特許明細書に記載された効果を奏するものと認められる。
　したがって、本件発明１１，１２が、上記発明ホ及び事項ハ、ヘ〜ワに基いて当業者が容易に発明をすることができたものであるとは認められない。
　
［５］ むすび
　以上のとおりであるから、特許異議申立の理由及び証拠によっては、本件発明１〜６，９〜１２についての特許を取り消すことはできない。
　また、他に本件発明１〜６，９〜１２についての特許を取り消すべき理由を発見しない。
　よって、結論のとおり決定する。
【異議決定日】
平成１４年９月３０日（２００２．９．３０）
【訂正の要旨】
訂正の要旨
（１）訂正事項ａ
　特許請求の範囲の請求項１１において、
「上記撮影手段にて被写体を撮像して上記表示手段に表示し」を「上記
撮像
「該撮影手段にて被写体を撮像領域の天井部から撮像し」を「該
撮像
それぞれ訂正する。
（２）訂正事項ｂ
　特許請求の範囲の請求項１３を削除する。
（３）訂正事項ｃ
　特許請求の範囲の請求項１４を削除する。
（４）訂正事項ｄ
　明細書の段落【００２６】において、
「上記撮影手段にて被写体を撮像して上記表示手段に表示し」を「上記
撮像
「該撮影手段にて被写体を撮像領域の天井部から撮像し」を「該
撮像
それぞれ訂正する。
（５）訂正事項ｅ
　同段落【００２８】において、「また、この発明は、・・・できる。」の記載を削除する。
（６）訂正事項ｆ
　同段落【００２９】において、「また、この発明は、・・・できる。」の記載を削除する。
（７）訂正事項ｇ
　同段落【００２７】において、「撮影手段」を「
撮像
（５４）【発明の名称】
写真シール自動販売機
（５７）【特許請求の範囲】
　【請求項１】
　被写体を撮像する撮像手段と、
被写体を照明する照明手段と、
画像や必要事項を表示する表示手段と、
操作を入力する入力手段と、
上記撮像手段で撮像した被写体の写真シールをプリントして放出する印刷手段と、
これら構成要素を制御する制御手段とを備えた写真シール自動販売機であって、
上記撮像手段はレンズを下側に向けて撮像領域の天井部に設置し、
上記天井部撮像手段の近傍に天井からの撮像ポーズを確認するポーズ確認手段を設けた
写真シール自動販売機。
　【請求項２】
　上記照明手段は床部または床部近傍に配置された
請求項１記載の写真シール自動販売機。
　【請求項３】
　上記ポーズ確認手段は上記天井部撮像手段が撮像した撮像ポーズを確認するモニタ装置で形成した
請求項１記載の写真シール自動販売機。
　【請求項４】
　ズーム機能を備えた撮像手段にて上記撮像手段を形成した
請求項１、２又は３記載の写真シール自動販売機。
　【請求項５】
　ズーム機能を備えた撮像手段にて上記撮像手段を形成し、上記モニタ装置は上記撮像手段が撮像している画像を上記ズーム機能に合わせて拡大、縮小表示する請求項３記載の写真シール自動販売機。
　【請求項６】
　被写体を撮像する撮像手段と、
被写体を照明する照明手段と、
画像や必要事項を表示する表示手段と、
操作を入力する入力手段と、
上記撮像手段で撮像した被写体の写真シールをプリントして放出する印刷手段と、
これら構成要素を制御する制御手段とを備えた
写真シール自動販売機であって、
上記撮像手段はレンズを下側に向けて天井部に設置された第１の撮像手段と、
筐体側に設けられた第２の撮像手段とを備え、
上記第１、第２の撮像手段の各近傍に、各撮像手段に対応して各撮像手段側からの撮像ポーズを確認するポーズ確認手段を設け、
上記入力手段の操作に基づいて撮像手段を選択して切換える切換え手段を設けた写真シール自動販売機。
　【請求項７】
　上記照明手段は照明状態を変更可能に設け、
上記入力手段の操作に基づいて撮像手段および照明手段を選択して切換える切換え手段を設けた
請求項６記載の写真シール自動販売機。
　【請求項８】
　上記照明手段は床部または床部近傍に配置された第１の照明手段と、
筐体側に設けられた第２の照明手段とを備え、
上記入力手段の操作に基づいて撮像手段および照明手段を選択して切換える切換え手段を設けた
請求項６記載の写真シール自動販売機。
　【請求項９】
　ズーム機能を備えた撮像手段にて少なくとも上記第１の撮像手段を形成した
請求項６、７又は８記載の写真シール自動販売機。
　【請求項１０】
　少なくとも上記第１の撮像手段に対応するポーズ確認手段は、上記第１の撮像手段が撮像した撮像ポーズを確認するモニタ装置で形成した
請求項６、７、８又は９記載の写真シール自動販売機。
　【請求項１１】
　被写体を撮像する撮像手段と、
被写体を照明する照明手段と、
画像や必要事項を表示する表示手段と、
操作を入力する入力手段と、
上記撮像手段の近傍に設け撮像ポーズを確認するポーズ確認手段と、
上記撮像手段で撮像した被写体の写真シールをプリントして放出する印刷手段と、
これら構成要素を制御する制御手段とを備え、
上記入力手段にて操作されて、上記制御手段にて制御して上記照明手段で被写体を照らし、上記
撮像
上記撮像手段はレンズを下側に向けて撮像領域の天井部に設置され、該
撮像
写真シール自動販売方法。
　【請求項１２】
　上記撮像手段で被写体を撮像領域の天井部から撮像した画像を上記印刷手段にて写真シールをプリントして放出する
請求項１１記載の写真シール自動販売方法。
【発明の詳細な説明】
　【０００１】
　【発明の属する技術分野】
　この発明は、例えばアミューズメント施設（娯楽施設のことで、ゲームセンタなど）において、デジタルカメラ等で撮像した画像をシール紙にカラープリントして放出出力するような写真シール自動販売機に関する。
　【０００２】
　【従来の技術】
　従来、上述例の写真シール自動販売機としては、被写体を撮像するデジタルカメラと、被写体を照明するストロボなどの照明手段と、画像や必要事項を可視表示するディスプレイなどの表示手段と、撮像をスタートするスタートボタンなどのスイッチを有する入力手段と、上述のデジタルカメラで撮像した被写体のシールをカラープリントして放出する印刷手段とを備え、上記デジタルカメラを筐体内部に組込んだものがある。
　【０００３】
　【発明が解決しようとする課題】
　この従来装置によれば、デジタルカメラのカメラアングルを正面、斜め上、斜め下に設定して異なるアングル撮影を実行することができ、また上述の筐体に有線接続したデジタルカメラを任意位置に位置調整して、任意のアングルからの撮影を実行することができる反面、次のような問題点があった。
　【０００４】
　つまり、上記デジタルカメラが筐体内部に組込まれているので、被写体を真上から撮像することができず、また有線接続タイプのカメラにあってもコードの絡みや巻付きによる問題点から当該カメラの真上への固定が不可能であった。
　【０００５】
　この発明は、被写体を真上から見下ろして任意の撮像サイズで撮像することができ、斬新なカメラアングルでの撮像写真シールを得ることができる写真シール自動販売機の提供を目的とする。
　【０００６】
　【課題を解決するための手段】
　この発明による写真シール自動販売機は、被写体を撮像する撮像手段と、被写体を照明する照明手段と、画像や必要事項を表示する表示手段と、操作を入力する入力手段と、上記撮像手段で撮像した被写体の写真シールをプリントして放出する印刷手段と、これら構成要素を制御する制御手段とを備えた写真シール自動販売機であって、上記撮像手段はレンズを下側に向けて撮像領域の天井部に設置し、上記天井部撮像手段の近傍に天井からの撮像ポーズを確認するポーズ確認手段を設けたものである。
　【０００７】
　上記構成の撮像手段は、デジタルカメラまたはデジタルビデオカメラ等を含む。
　上記構成の照明手段は、蛍光灯、白熱灯などの照明ランプやストロボ照明装置を含む。
　上記構成の表示手段は、陰極線管いわゆるＣＲＴによる表示装置または液晶表示装置などのディスプレイにて構成することができる。
　【０００８】
　上記構成の入力手段は、タッチパネルによる入力装置またはスイッチによる入力装置で構成することができる。
　上記構成の印刷手段は、モノトーンプリンタ、セピア（ｓｅｐｉａ）トーンプリンタまたはカラープリンタで構成することができる。
　上記構成の制御手段は、ＣＰＵなどの制御装置で構成することができる。
　【０００９】
　上記構成の撮像領域は、一人または複数人（いずれも被写体）がポーズを取ることができる撮像スペースに設定することができる。
　上記撮像手段の天井部への設置は、埋設配置または天吊り配置等に設定することができる。
　上記ポーズ確認手段は、天井部に配設されるミラー（つまり鏡）またはモニタ画像をリアルタイムで表示するモニタ装置で構成することができる。
　【００１０】
　上記構成により、表示手段は画像や必要事項（操作手順を含む）を表示し、入力手段は顧客の操作を入力し、照明手段は被写体を照明し、撮像手段は被写体を撮像し、印刷手段は撮像手段が撮像した被写体の写真シールをプリントして放出し、制御手段はこれら構成要素を制御するが、上述の撮像手段はそのレンズ（撮影レンズ）を下側に向けて撮像領域の天井部に設置し、該天井部撮像手段の近傍にポーズ確認手段があるので、撮像手段により被写体を真上から見下ろし撮影することができ、しかも、撮像手段の近傍のポーズ確認手段によって、顧客（被写体）は自身のポーズを確認することができるので、希望するポーズが取りやすくなり、斬新なカメラアングルでの撮像写真シールを得ることができる。
　したがって、顧客に対して新しい撮影体験を提供することができ、顧客満足度の向上を図ることができる。
　【００１１】
　この発明の一実施態様においては、上記照明手段は床部または床部近傍に配置されたものである。
　上記構成により、身長の差異その他による被写体と撮像手段との間の離反距離の大小にかかわらず、均一な照明光量（照度）を確保することができる。
　【００１２】
　この発明の一実施態様においては、上記撮像手段はズーム機能を備えた撮像手段にて形成したものである。
　上記構成の撮像手段は、ズーム機能を備えたデジタルカメラまたはデジタルビデオカメラ等を含む。
　上記構成により、身長の差異その他による被写体と撮像手段との間の離反距離の大小に合わせて拡大縮小して撮像することが可能になる。また、拡大撮像で顔を大きく撮像する、縮小撮像で背景を多く確保するといったことが可能になり、顧客満足度の向上を図ることができる。
　【００１３】
　この発明の一実施態様においては、上記ポーズ確認手段はモニタ画像をリアルタイムで拡大縮小表示するモニタ装置で構成したものである。
　上記構成により、顧客（被写体）は撮像される自身のサイズを上記ポーズ確認手段を用いて確認することができるので、希望するサイズの撮像が取りやすくなる。
　【００１４】
　この発明による写真シール自動販売機は、被写体を撮像する撮像手段と、被写体を照明する照明手段と、画像や必要事項を表示する表示手段と、操作を入力する入力手段と、上記撮像手段で撮像した被写体の写真シールをプリントして放出する印刷手段と、これら構成要素を制御する制御手段とを備えた写真シール自動販売機であって、上記撮像手段はレンズを下側に向けて天井部に設置された第１の撮像手段と、筐体側に設けられた第２の撮像手段とを備え、上記第１、第２の撮像手段の各近傍に、各撮像手段に対応して各撮像手段側からの撮像ポーズを確認するポーズ確認手段を設け、上記入力手段の操作に基づいて撮像手段および照明手段を選択して切換える切換え手段を設けたものである。
　【００１５】
　上記構成の第１の撮像手段、第２の撮像手段は、デジタルカメラまたはデジタルビデオカメラ等を含む。
　上記構成の照明手段は、蛍光灯、白熱灯などの照明ランプやストロボ照明装置を含む。
　【００１６】
　上記入力手段の操作による選択、切換は、第１の撮像手段を用いる第１の態様と、第２の撮像手段を用いる第２の態様との何れか一方を選択し、選択された何れか一方に切換えることを意味する。
　上記構成の切換え手段は、切換え回路などの切換え装置にて構成することができる。
　【００１７】
　上記構成のポーズ確認手段は、天井部に配置されるミラー、またはモニタ画像をリアルタイムで表示するモニタ装置で形成することができる。
　【００１８】
　上記構成により、表示手段は画像や必要事項（操作手順）を表示し、入力手段は顧客の操作を入力し、切換え手段は入力手段の操作に基づいて撮像手段を選択して切換える。つまり第１の撮像手段を用いる第１の態様と、第２の撮像手段を用いる第２の態様とに切換え、さらに、第１の撮像手段に対応するポーズ確認手段で確認して撮像する。
　【００１９】
　また照明手段は被写体を照明し、選択された撮像手段の画像をポーズ確認手段で確認しながら該撮像手段は被写体を撮像し、印刷手段は当該撮像手段が撮像した被写体の写真シールをプリントして放出し、制御手段はこれら構成要素を制御する。
　【００２０】
　この結果、第１または第２の何れの態様が選択されても適正な撮像条件を確保することができ、顧客は通常アングルによる撮影と真上からのアングルによる撮影との何れか一方を選定することができる。
　【００２１】
　この発明の一実施態様においては、上記照明手段は照明状態を変更可能に設け、上記入力手段の操作に基づいて撮像手段および照明手段を選択して切換える切換え手段を設けたものである。
　【００２２】
　上記入力手段の操作による選択、切換は、第１の撮像手段と照明手段の第１の照明状態とを用いる第１の態様と、第２の撮像手段と照明手段の第２の照明状態とを用いる第２の態様との何れか一方を選択し、選択された何れか一方に切換えることを意味する。
　上記構成により、切換え手段は入力手段の操作に基づいて撮像手段および照明手段の照明状態を選択して切換える。つまり第１の撮像手段と照明手段の第１の照明状態とを用いる第１の態様と、第２の撮像手段と照明手段の第２の照明状態とを用いる第２の態様とに切換える。
　【００２３】
　この発明の一実施態様においては、上記照明手段は床部または床部近傍に配置された第１の照明手段と、筐体側に設けられた第２の照明手段とを備え、上記入力手段の操作に基づいて撮像手段および照明手段を選択して切換える切換え手段を設けたものである。
　【００２４】
　上記入力手段の操作による選択、切換は、第１の撮像手段と第１の照明手段とを用いる第１の態様と、第２の撮像手段と第２の照明手段とを用いる第２の態様との何れか一方を選択し、選択された何れか一方に切換えることを意味する。
　上記構成により、表示手段は画像や必要事項（操作手順）を表示し、入力手段は顧客の操作を入力し、切換え手段は入力手段の操作に基づいて撮像手段および照明手段を選択して切換える。つまり第１の撮像手段と第１の照明手段とを用いる第１の態様と、第２の撮像手段と第２の照明手段とを用いる第２の態様とに切換える。
　【００２５】
　この発明の一実施態様においては、少なくとも上記第１の撮像手段はズーム機能を備えた撮像手段にて形成されたものである。
　上記構成の第１の撮像手段及び／又は第２の撮像手段は、デジタルカメラまたはデジタルビデオカメラ等を含み、双方共にズーム機能を備えてもよい。
　上記構成により、身長の差異その他による被写体と撮像手段との間の離反距離の大小に合わせて拡大縮小して撮像することが可能になる。また、拡大撮像で顔を大きく撮像する、縮小撮像で背景を多く確保して撮像するといったことが可能になり、顧客満足度の向上を図ることができる。
　【００２６】
　この発明は、被写体を撮像する撮像手段と、被写体を照明する照明手段と、画像や必要事項を表示する表示手段と、操作を入力する入力手段と、上記撮像手段の近傍に設け撮像ポーズを確認するポーズ確認手段と、上記撮像手段で撮像した被写体の写真シールをプリントして放出する印刷手段と、これら構成要素を制御する制御手段とを備え、上記入力手段にて操作されて、上記制御手段にて制御して上記照明手段で被写体を照らし、上記
撮像
撮像
　【００２７】
　また、この発明は、上記
撮像
　【００２８】（削除）
　【００２９】（削除）
　【００３０】
　【実施例】
　この発明の一実施例を以下図面に基づいて詳述する。
　図面は、例えばアミューズメント施設（例えば、ゲームセンタ）において設置されるような写真シール自動販売機を示し、図１において、この写真シール自動販売機１１は撮像領域１２を形成するフレーム１３を設けている。
　【００３１】
　また写真シール機１４（装置本体）の筐体１５の接客面１５ａが撮像領域１２と対向するように設けられている。
　この筐体１５の接客面１５ａにおける上部中央には、画像や必要事項（操作手順など）を可視表示する表示手段としてのディスプレイ１６が設けられている。
　【００３２】
　この実施例では、上記ディスプレイ１６は陰極線管いわゆるＣＲＴにより構成され、このディスプレイ１６は撮像画像の表示の他に、操作手順の表示、撮像画像に重ねる落書き等の編集画像の表示などを行なうと共に、その表面にはタッチパネルによる入力装置１７（図２参照）を重ね合わせて、画像の表示に対応して入力操作が可能となるように設けられている。
　【００３３】
　さらに、ディスプレイ１６の下部の段差パネル部分（または傾斜パネル部分）には料金（硬貨）を投入する硬貨投入口１８と、写真シールを放出する写真シール放出口１９とを配設し、また、貨幣投入口１８の下部の垂直パネル部分には貨幣の返却口２０を配設している。
　【００３４】
　しかも、撮像領域１２の天井部には被写体を撮像する撮像手段の一例としてデジタルカメラ２１を配置している。この天井部はフレーム１３に対して天井骨組を設けたり、或は天井板を張設して構成すればよい。また上述のデジタルカメラ２１は撮像領域１２内の一人または複数人の被写体をその真上から見下ろし撮影すべく当該カメラ２１のレンズ（撮影レンズのこと）を下側に向けて設置したものである。ここで、上述のデジタルカメラ２１の天井部への取付けは図示のような天井中央部に限定されるものではなく、天井中央部からから何れかの方向にオフセットした位置に取付けてもよい。
　【００３５】
　また撮像領域１２の床部または床部近傍（但し、図面では図示の便宜上、床部を示すの左右両サイド）には、被写体を照明する照明手段としての照明装置２２，２２を配置している。この照明装置２２としては蛍光灯、白熱灯などの照明ランプやストロボ照明装置を用いることができる。
　【００３６】
　さらに上述のデジタルカメラ２１の近傍つまり天井部には被写体が自身のポーズを確認するポーズ確認手段の一例としてミラー２３をデジタルカメラ２１と干渉しないように配設している。このミラー２３はその鏡面を下側に向けて配設されている。なお、ミラー２３の大きさ、形状は図示実施例のものに限定されるものではなく、被写体のポーズが確認される程度の小型コンパクト形状のものであってもよい。
　【００３７】
　ここで、上述のポーズ確認手段としてミラー２３を用いると、照明装置２２からの照明光を該ミラー２３で反射させることができ、また当然のこととして消費電力および制御が不要となる。
　【００３８】
　なお、上述の撮像領域１２をスイッチのＯＮ時に通常点灯する点灯手段または該撮像領域１２に被写体としての人間が入ったことを赤外線センサなどの検知手段で検知して該撮像領域１２を自動照明する点灯手段を設けることが望ましい。
　【００３９】
　図２は写真シール自動販売機の制御回路ブロック図を示し、制御手段としてのＣＰＵ３０は入力装置１７からの入力信号、貨幣処理装置２４からの処理信号、デジタルカメラ２１からの画像データ（撮像データ）に基づいて、ＲＯＭ２５に格納されたプログラムに従って、デジタルカメラ２１、照明装置２２、ディスプレイ１６、プリンタ２６、貨幣処理装置２４を駆動制御し、またＲＡＭ２７は画像データの一時記憶を含めて、その他必要なデータを記憶する。
　【００４０】
　なお、写真シール自動販売方法の実行プログラムはハードディスク３２に記憶させ、ＣＰＵ３０はＲＯＭ２５に格納されたプログラムに従って起動した後に、該ハードディスク３２の実行プログラムに従って各装置の駆動制御を行うように構成しても良い。
　【００４１】
　ここで、上述の貨幣処理装置２４は図１に示す筐体１５に内蔵され、貨幣投入口１８から投入される貨幣投入の有無、投入された貨幣の真偽および金種判定を実行し、釣銭や偽貨幣を返却口２０から返却する。
　【００４２】
　またプリンタ２６は図１に示す筐体１５に内蔵され、デジタルカメラ２１で撮像した被写体の画像データに基づいて当該被写体の写真シールを写真シールシート３３にプリントたとえばカラープリントして写真シール放出口１９から放出するが、カラープリントに代えてモノトーンやセピア等の単色にてプリントしてもよい。
　【００４３】
　さらに、デジタルカメラ２１はＣＰＵ３０からのシャッタ信号により被写体を撮像する。照明装置２２はＣＰＵ３０からの照明制御信号により起動される。但し、照明装置２２としてストロボ照明装置を用いる際には、このストロボ照明装置はシャッタ信号によりデジタルカメラ２１のシャッタ動作と同時に発光すべく構成すればよい。この点については以下に述べるそれぞれの実施例にあっても同様である。
　【００４４】
　またディスプレイ１６はデジタルカメラ２１が撮像した画像データを元にＣＰＵ３０からのＲＧＢ信号（Ｒｅｄ、Ｇｒｅｅｎ、Ｂｌｕｅ、赤、緑、青の光の三原色の信号）により被写体のポーズを可視表示するモニタ機能をも備えている。
　【００４５】
　このように構成した写真シール自動販売機の作用を、図３に示すフローチャートを参照して、以下に詳述する。
　被写体としての一人または複数人の顧客が撮像領域１２に入り、貨幣投入口１８から貨幣を投入すると、貨幣処理装置２４からの処理信号がＣＰＵ３０に入力される。
　【００４６】
　ステップＳ１で、ＣＰＵ３０は上記処理信号により貨幣が投入されたか否かを判定し、ＹＥＳ判定時にのみ次のステップＳ２に移行する。
　【００４７】
　このステップＳ２で、ＣＰＵ３０はディスプレイ１６に操作手順などを表示すると共に、被写体に天井撮影モードを選択するように促し、かつポーズの決定後にタッチパネルによる入力装置１７のうちのスタートボタン（図示せず）をＯＮ操作するように促す。被写体がポーズを決定する場合には天井部に設けられたミラー２３で自身のポーズを確認することができる。
　【００４８】
　顧客は、このステップＳ２において天井撮影モードを選択すると共に、スタートボタンをＯＮ操作することができる。天井撮影モードの選択およびスタートボタンのＯＮ操作が完了すると次のステップＳ３に移行する。なお、この実施例では天井撮影モードの選択を省略して、スタートボタンのＯＮ操作のみでステップＳ３に移行するように構成することもできる。
　【００４９】
　このステップＳ３で、ＣＰＵ３０は床部（または床部近傍）に設置された照明装置２２に対して照明制御信号を出力し、図１に示す左右の各照明装置２２，２２を同時起動して、撮像領域１２内の被写体を照明する。
　【００５０】
　次のステップＳ４で、ＣＰＵ３０はデジタルカメラ２１にシャッタ信号を出力し、天井部に設けられたデジタルカメラ２１で被写体を真上から見下ろし撮影する。
　【００５１】
　このデジタルカメラ２１で撮像された画像データはＣＰＵ３０に入力されるので、次のステップＳ５でＣＰＵ３０はプリンタ２６に対してプリント画像データを出力する。プリンタ２６は入力されたプリント画像データにより被写体の画像を写真シールにプリントする。
　【００５２】
　次にステップＳ６で、ＣＰＵ３０は写真シール放出口１９の内部に設けられた搬出装置を駆動して、プリントされた写真シールを該放出口１９から放出する。
　【００５３】
　このように図１〜図３で示す実施例の写真シール自動販売機は、被写体を撮像するデジタルカメラ２１と、被写体を照明する照明手段（照明装置２２参照）と、画像や必要事項を表示する表示手段（ディスプレイ１６参照）と、操作を入力する入力手段（入力装置１７参照）と、上記デジタルカメラ２１で撮像した被写体の写真シールをプリントして放出するプリンタ２６と、これら構成要素を制御する制御手段（ＣＰＵ３０参照）とを備えた写真シール自動販売機であって、上記デジタルカメラ２１はレンズを下側に向けて撮像領域１２の天井部に設置されたものである。
　【００５４】
　この構成により、表示手段（ディスプレイ１６参照）は画像や必要事項（操作手順を含む）を表示し、入力手段（入力装置１７参照）は顧客の操作を入力し、照明手段（照明装置２２参照）は被写体を照明し、デジタルカメラ２１は被写体を撮像し、プリンタ２６はデジタルカメラ２１が撮像した被写体の写真シールをプリントして放出し、制御手段（ＣＰＵ３０参照）はこれら構成要素を制御するが、上述のデジタルカメラ２１はそのレンズを下側に向けて撮像領域１２の天井部に設置したので、このデジタルカメラ２１により被写体を真上から見下ろし撮影することができ、斬新なデジタルカメラ２１アングルでの撮像写真シールを得ることができる。
　したがって、顧客に対して新しい撮影体験を提供することができ、顧客満足度の向上を図ることができる。
　【００５５】
　さらに、上記照明手段（照明装置２２参照）は撮像領域１２の床部または床部近傍に配置されたものであるから、身長の差異その他による被写体とデジタルカメラ２１との間の離反距離の大小にかかわらず、均一な照明光量を確保することができる。
　【００５６】
　また、上記デジタルカメラ２１の近傍に被写体が自身のポーズを確認するポーズ確認手段としてのミラー２３を設けたものであるから、顧客（被写体）は自身のポーズを上記ポーズ確認手段（ミラー２３参照）を用いて確認することができるので、希望するポーズが取りやすくなる。
　【００５７】
　図１〜図３で先に示した実施例の他の実施例として、ズーム機能を有するものにて前記デジタルカメラ２１を構成した場合について説明する。
　この場合、図２に示したデジタルカメラ２１は、ＣＰＵ３０からシャッタ信号及びズーム信号を受け取り、該ズーム信号によりズームイン又はズームアウトを行う。その他の構成については先の実施例と同様である。
　【００５８】
　このように構成した写真シール自動販売機の作用を、図３に示すフローチャートを参照して、以下に説明する。
　この実施例では、先の実施例で説明したステップＳ３とステップＳ４の間に新しいステップＳ７が加わり、前述のステップＳ３ではスタートボタンをＯＮ操作できなくなる。該ステップＳ７では、ＣＰＵ３０はディスプレイ１６に操作手順などを表示すると共に、被写体にデジタルカメラ２１のズームイン又はズームアウトを入力装置１７にて操作するように促す。被写体の操作に従ってＣＰＵ３０はデジタルカメラ２１にズーム信号を出力し、天井部に設けられたデジタルカメラ２１をズームイン又はズームアウトさせる。また、ディスプレイ１６はポーズ決定時にタッチパネルによる入力装置１７のうちのスタートボタンをＯＮ操作するように促し、このＯＮ操作が完了すると次のステップＳ４に移行する。
　【００５９】
　なお、デジタルカメラ２１のズームイン又はズームアウトを操作する入力手段は、入力装置１７とは別にロータリスイッチ、スライドスイッチ又は切替えスイッチ等のスイッチにて、デジタルカメラ２１の近傍など被写体が操作しやすい範囲に構成してもよい。
　【００６０】
　ステップＳ１からステップＳ６については、ステップＳ２でスタートボタンをＯＮ操作できないことを除いて先の実施例と同様であるから、その詳しい説明を省略する。
　【００６１】
　上述の構成及び作用の効果として、上記デジタルカメラ２１はズーム機能を備えたものであるから、顧客（被写体）は自身の身長に合わせて拡大縮小して撮像することができ、拡大撮像で顔を大きく撮像する、縮小撮像で背景を多く確保して撮像するといったことができる。
　その他の効果については先の実施例と同様であるから、その詳しい説明を省略する。
　【００６２】
　図４、図５、図６は写真シール自動販売機の他の実施例を示すハード構造の斜視図と、制御回路ブロック図と、フローチャートである。
　【００６３】
　この実施例においては図１で示したミラー２３に代えて撮像領域１２の天井部におけるデジタルカメラ２１の近傍に図４に示す如くポーズ確認手段としてのモニタ画像をリアルタイムで表示するモニタ装置２８を設け、このモニタ装置２８はその画像が下側に向くように配置され、また図５に示すようにこのモニタ装置２８にはデジタルカメラ２１からのビデオ出力信号を入力して、被写体のポーズ等をモニタ表示すべく構成したものである。なお、その他の構成については先の実施例と同様である。
　【００６４】
　このように構成した写真シール自動販売機の作用を、図６に示すフローチャートを参照して、以下に詳述する。
　被写体としての一人または複数人の顧客が撮像領域１２に入り、貨幣投入口１８から貨幣を投入すると、貨幣処理装置２４からの処理信号がＣＰＵ３０に入力される。
　【００６５】
　ステップｎ１で、ＣＰＵ３０は上記処理信号により貨幣が投入されたか否かを判定し、ＹＥＳ判定時にのみ次のステップｎ２に移行する。
　このステップｎ２で、ＣＰＵ３０はディスプレイ１６に操作手順などを表示すると共に、被写体に天井撮影モードを選択するように促す。顧客は、このステップｎ２においてタッチパネル構成の入力装置１７を用いて天井撮影モードを選択することができ、タッチパネル操作にて天井撮影モードが選択されると、次のステップｎ３に移行する。
　【００６６】
　このステップｎ３で、ＣＰＵ３０は床部（または床部近傍）に設置された照明装置２２に対して照明制御信号を出力し、図４に示す左右の各照明装置２２，２２を同時起動して、撮像領域１２内の被写体を照明する。
　【００６７】
　次にステップｎ４で、ＣＰＵ３０はデジタルカメラ２１をモニタモードにて駆動し、このデジタルカメラ２１からのビデオ信号をモニタ装置２８に出力する。これによりモニタ装置２８の画面には一人または複数人の被写体がモニタ表示されるので、被写体がポーズを決定する場合には該モニタ装置２８の画面で自身のポーズを確認することができる。またディスプレイ１６はポーズ決定時にタッチパネルによる入力装置１７のうちのスタートボタンをＯＮ操作するように促す。顧客は、このステップｎ４においてスタートボタンＯＮ操作することができる。スタートボタンのＯＮ操作が完了すると次のステップｎ５に移行する。
　【００６８】
　このステップｎ５で、ＣＰＵ３０はデジタルカメラ２１にシャッタ信号を出力し、天井部に設けられたデジタルカメラ２１で被写体を真上から見下ろし撮影する。
　【００６９】
　このデジタルカメラ２１で撮像された画像データはＣＰＵ３０に入力されるので、次のステップｎ６でＣＰＵ３０はプリンタ２６に対してプリント画像データを出力する。プリンタ２６は入力されたプリント画像データにより被写体の画像を写真シールにプリントする。
　【００７０】
　次にステップｎ７で、ＣＰＵ３０は写真シール放出口１９の内部に設けられた搬出装置を駆動して、プリントされた写真シールを該放出口１９から放出する。
　【００７１】
　このように図４〜図６で示す実施例の写真シール自動販売機は、上記デジタルカメラ２１の近傍に被写体が自身のポーズを確認するポーズ確認手段としてのモニタ装置２８を設けたものであるから、顧客（被写体）は自身のポーズを上記モニタ装置２８を用いて確認することができ、希望するポーズが取りやすくなる。
　【００７２】
　図４〜図６で先に示した実施例の他の実施例として、ズーム機能を有するものにて前記デジタルカメラ２１を構成した場合について説明する。
　【００７３】
　この場合、図５に示したデジタルカメラ２１は、ＣＰＵ３０からシャッタ信号及びズーム信号を受け取り、該ズーム信号によりズームイン又はズームアウトを行う。
　【００７４】
　その他の構成については先の実施例と同様である。
　【００７５】
　このように構成した写真シール自動販売機の作用を、図６に示すフローチャートを参照して、以下に詳述する。
　この実施例では、先の実施例で説明したステップｎ４とステップｎ５の間に新しいステップｎ８が加わる。ステップｎ４でモニタ装置２８に被写体がモニタ表示されると、次のステップｎ８では、ＣＰＵ３０はディスプレイ１６に操作手順などを表示すると共に、被写体にデジタルカメラ２１のズームイン又はズームアウトを入力装置１７にて操作するように促す。被写体の操作に従ってＣＰＵ３０はデジタルカメラ２１にズーム信号を出力し、天井部に設けられたデジタルカメラ２１をズームイン又はズームアウトさせる。このとき、モニタ装置２８の画面に表示される被写体もズームイン又はズームアウトされるので、被写体はモニタ装置２８の画面で自身の撮像サイズを確認することができる。
　【００７６】
　また、ディスプレイ１６はポーズ決定時にタッチパネルによる入力装置１７のうちのスタートボタンをＯＮ操作するように促し、このＯＮ操作が完了すると次のステップｎ５に移行する。
　なお、デジタルカメラ２１のズームイン又はズームアウトを操作する入力手段は、入力装置１７とは別にモニタ装置２８にタッチパネルを重ねて構成してもよいし、ロータリスイッチ、スライドスイッチ又は切替えスイッチ等のスイッチにて、モニタ装置２８の近傍又は撮像領域１２の側面など被写体がモニタ装置２８で自身を確認しつつ操作できる範囲に構成してもよいし、有線又は無線の手持ちの遠隔操作装置にて構成しても良い。
　ステップｎ１からステップｎ７については、先の実施例と同様であるので詳しい説明を省略する。
　【００７７】
　この実施例の写真シール自動販売機は、上記デジタルカメラ２１のズームイン又はズームアウトに合わせてモニタ装置２８に撮像を表示するものであるから、顧客（被写体）は自身のポーズに加えて撮像サイズも上記モニタ装置２８を用いて確認することができ、希望するポーズ及び撮像サイズが取りやすくなる。
　【００７８】
　なお、図４〜図６に示すこれらの実施例においても、その他の構成、作用、効果については図１〜図３で示した先の実施例と同様であるから、図４、図５において前図と同一の部分には同一符号を付して、その詳しい説明を省略する。
　【００７９】
　図７、図８は写真シール自動販売機のさらに他の実施例を示す制御回路ブロック図と、フローチャートである。なお、この実施例においても図４で示したハード構造（つまり天井部のデジタルカメラ２１とその近傍に設けたモニタ装置２８参照）を用いるが、図７、図８に示すこの実施例ではＣＰＵ３０からディスプレイ１６に送信するＲＧＢ信号を信号分配器２９でディスプレイ１６とモニタ装置２８とに分配し、このモニタ装置２８は上記ＲＧＢ信号を用いて被写体をモニタ表示すべく構成したものである。
　【００８０】
　このように構成した写真シール自動販売機の作用を、図８に示すフローチャートを参照して、以下に詳述する。
　被写体としての一人または複数人の顧客が撮像領域１２に入り、貨幣投入口１８から貨幣を投入すると、貨幣処理装置２４からの処理信号がＣＰＵ３０に入力される。
　【００８１】
　ステップＵ１で、ＣＰＵ３０は上記処理信号により貨幣が投入されたか否かを判定し、ＹＥＳ判定時にのみ次のステップＵ２に移行する。
　このステップＵ２で、ＣＰＵ３０はディスプレイ１６に操作手順などを表示すると共に、被写体に天井撮影モードを選択するように促す。顧客は、このステップＵ２においてタッチパネル構成の入力装置１７を用いて天井撮影モードを選択することができ、タッチパネル操作にて天井撮影モードが選択されると、次のステップＵ３に移行する。
　【００８２】
　このステップＵ３で、ＣＰＵ３０は床部（または床部近傍）に設置された照明装置２２に対して照明制御信号を出力し、図４に示す左右の各照明装置２２，２２を同時起動して、撮像領域１２内の被写体を照明する。
　【００８３】
　次にステップＵ４で、ＣＰＵ３０はデジタルカメラ２１をモニタモードにて駆動し、このデジタルカメラ２１からの画像データを一旦、ＣＰＵ３０に入力し、ＣＰＵ３０からのＲＧＢ信号を信号分配器２９を介してモニタ装置２８とディスプレイ１６とに出力する。これによりモニタ装置２８の画面とディスプレイ１６との双方には一人または複数人の被写体がモニタ表示されるので、被写体がポーズを決定する場合には該モニタ装置２８の画面またはディスプレイ１６で自身のポーズを確認することができる。またディスプレイ１６はポーズ決定時にタッチパネルによる入力装置１７のうちのスタートボタンをＯＮ操作するように促す。顧客は、このステップＵ４においてスタートボタンＯＮ操作することができる。スタートボタンのＯＮ操作が完了すると次のステップＵ５に移行する。
　【００８４】
　このステップＵ５で、ＣＰＵ３０はデジタルカメラ２１にシャッタ信号を出力し、天井部に設けられたデジタルカメラ２１で被写体を真上から見下ろし撮影する。
　【００８５】
　このデジタルカメラ２１で撮像された画像データはＣＰＵ３０に入力されるので、次のステップＵ６でＣＰＵ３０はプリンタ２６に対してプリント画像データを出力する。プリンタ２６は入力されたプリント画像データにより被写体の画像を写真シールシート３３にプリントする。
　【００８６】
　次にステップＵ７で、ＣＰＵ３０は写真シール放出口１９の内部に設けられた搬出装置を駆動して、プリントされた写真シールを該放出口１９から放出する。
　【００８７】
　このように図７、図８で示す実施例（但し、ハード構造については図４参照）の写真シール自動販売機は、上記デジタルカメラ２１の近傍に被写体が自身のポーズを確認するポーズ確認手段としてのモニタ装置２８を設けたものであるから、顧客（被写体）は自身のポーズを上記モニタ装置２８を用いて確認することができ、希望するポーズが取りやすくなる。
　【００８８】
　図７、図８で先に示した実施例（但し、ハード構造については図４参照）の他の実施例として、ズーム機能を有するものにて前記デジタルカメラ２１を構成した場合について説明する。
　この実施例では、先の実施例で図８に示すフローチャートを参照して説明したステップＵ４とステップＵ５の間に新しいステップＵ８が加わる。ステップＵ４でモニタ装置２８に被写体がモニタ表示されると、ステップＵ８では、ＣＰＵ３０はディスプレイ１６に操作手順などを表示すると共に、被写体にデジタルカメラ２１のズームイン又はズームアウトを入力装置１７にて操作するように促す。被写体の操作に従ってＣＰＵ３０はデジタルカメラ２１にズーム信号を出力し、天井部に設けられたデジタルカメラ２１をズームイン又はズームアウトさせる。このとき、モニタ装置２８の画面及びディスプレイ１６に表示される被写体もズームイン又はズームアウトされるので、被写体はモニタ装置２８の画面又はディスプレイ１６で自身の撮像サイズを確認することができる。
　【００８９】
　また、ディスプレイ１６はポーズ決定時にタッチパネルによる入力装置１７のうちのスタートボタンをＯＮ操作するように促し、このＯＮ操作が完了すると次のステップＵ５に移行する。
　【００９０】
　なお、デジタルカメラ２１のズームイン又はズームアウトを操作する入力手段は、入力装置１７に加えてモニタ装置２８にタッチパネルを重ねて構成してもよいし、ロータリスイッチ、スライドスイッチ又は切替えスイッチ等のスイッチにて、モニタ装置２８の近傍など被写体がモニタ装置２８で自身を確認しつつ操作できる範囲に構成してもよい。
　【００９１】
　この実施例の写真シール自動販売機は、上記デジタルカメラ２１のズームイン又はズームアウトに合わせてモニタ装置２８に撮像を表示するものであるから、顧客（被写体）は自身のポーズに加えて撮像サイズも上記モニタ装置２８を用いて確認することができ、希望するポーズ及び撮像サイズが取りやすくなる。
　【００９２】
　なお、図７、図８に示すこれらの実施例においても、その他の構成、作用、効果については先の実施例と同様であるから、図７において前図と同一の部分には同一符号を付して、その詳しい説明を省略する。
　【００９３】
　図９、図１０、図１１は写真シール自動販売機のさらに他の実施例を示すハード構造の斜視図と、制御回路ブロック図と、フローチャートである。
　まず図９を参照して写真シール自動販売機のハードの構造について説明すると、撮像領域１２の天井部にはそのレンズを下側に向けて第１の撮像手段として第１デジタルカメラ２１Ａを設けると共に、この第１デジタルカメラ２１Ａの近傍には被写体が自身のポーズを確認するポーズ確認手段としてのモニタ装置２８を設けている。
　【００９４】
　また上記第１デジタルカメラ２１Ａと対向するように撮像領域１２の床部または床部近傍（但し、図９では図示の便宜上、床部の例を示す）にはその左右両サイドに第１の照明手段としての第１照明装置２２Ａ，２２Ａを設けている。
　【００９５】
　さらに前述の筐体１５の接客面１５ａにおける上部中央には、その上側に第２の撮像手段として第２デジタルカメラ２１Ｂを設け、その下側にはディスプレイ１６を配設している。
　【００９６】
　そして、第２デジタルカメラ２１Ｂとディスプレイ１６とを隔てた接客面１５ａの左右両側には上下方向に指向するように第２の照明としての第２照明装置２２Ｂ，２２Ｂを設けている。なお、図９において、その他の構成については先の実施例と同様であるが、天井部のモニタ装置２８はこれに代えてミラー２３を用いてもよい。
　【００９７】
　つぎに図１０を参照して写真シール自動販売機の制御回路について説明する。
　【００９８】
　この実施例では制御手段としてのＣＰＵ３０に切換え装置３１を接続している。この切換え装置３１は入力装置１７の操作に基づいてデジタルカメラ２１Ａ，２１Ｂおよび照明装置２２Ａ，２２Ｂを選択して切換える切換え手段である。
　【００９９】
　つまり、上記切換え装置３１はＣＰＵ３０からの選択信号（天井モード選択信号と通常モード選択信号）により天井部の第１デジタルカメラ２１Ａと、これに対応する床側の第１照明装置２２Ａとを選択する第１の態様と、筐体１５側の第２のデジタルカメラ２１Ｂと、これに対応する筐体１５側の第２照明装置２２Ｂとを選択する第２の態様との二態様のうち何れか一方に切換える切換え手段である。
　【０１００】
　また、この実施例では上記各デジタルカメラ２１Ａ，２１Ｂには切換え装置３１からシャッタ信号が入力され、上記各照明装置２２Ａ，２２Ｂにも切換え装置３１から照明制御信号が入力されるように構成しているが、その他の構成については先の実施例と同様である。
　【０１０１】
　このように構成した写真シール販売機の作用を、図１１に示すフローチャートを参照して以下に詳述する。
　被写体としての一人または複数人の顧客が図９に示す撮像領域１２に入り、貨幣投入口１８から貨幣を投入すると、貨幣処理装置２４からの処理信号がＣＰＵ３０に入力される。
　【０１０２】
　ステップＱ１で、ＣＰＵ３０は上記処理信号により貨幣が投入されたか否かを判定し、ＹＥＳ判定時にのみ次のステップＱ２に移行する。
　このステップＱ２で、ＣＰＵ３０はディスプレイ１６に操作手順などを表示すると共に、被写体に天井撮影モードまたは通常撮影モードを選択するように促す。なお、このモード選択の前段階においてディスプレイ１６で天井からの撮影モニタと筐体側からの撮影モニタとの双方を表示して、選択を促すようにしてもよい。顧客は、このステップＱ２においてタッチパネル構成の入力装置１７を用いて何れかのモードを選択し、ＣＰＵ３０は何れのモードが選択されたのかを判定する。
　【０１０３】
　このステップＱ２で天井撮影モードが選択されたとＣＰＵ３０が判定した時にはステップＱ３に移行し、通常撮影モードが選択されたとＣＰＵ３０が判定した時には別のステップＱ５に移行する。
　【０１０４】
　まず第１の態様に相当するステップＱ３，Ｑ４について述べると、上述のステップＱ３で、ＣＰＵ３０は切換え装置３１を介して床部（または床部近傍）に設置された第１照明装置２２Ａに対して照明制御信号を出力し、図９に示す左右の各第１照明装置２２Ａ，２２Ａを同時起動して、撮像領域１２内の被写体を照明する。
　【０１０５】
　また、このステップＱ３で、ＣＰＵ３０は第１デジタルカメラ２１Ａをモニタモードにて駆動し、このデジタルカメラ２１Ａからのビデオ出力信号をモニタ装置２８に出力する。これによりモニタ装置２８の画面には一人または複数人の被写体がモニタ表示されるので、被写体がポーズを決定する場合には該モニタ装置２８の画面で自身のポーズを確認することができる。さらにディスプレイ１６はポーズ決定時にタッチパネルによる入力装置１７のうちのスタートボタンをＯＮ操作するように促す。顧客は、ステップＱ３においてスタートボタンをＯＮ操作することができる。このスタートボタンのＯＮ操作が完了すると次のステップＱ４に移行する。
　【０１０６】
　このステップＱ４で、ＣＰＵ３０は切換え装置３１を介して第１デジタルカメラ２１Ａにシャッタ信号を出力し、天井部に設けられた第１デジタルカメラ２１Ａで被写体を真上から見下ろし撮影する。
　【０１０７】
　つぎに第２の態様に相当するステップＱ５，Ｑ６について述べると、上述のステップＱ５で、ＣＰＵ３０は切換え装置３１を介して筐体１５側に設置された第２照明装置２２Ｂに対して照明制御信号を出力し、図９に示す左右の各第２照明装置２２Ｂ，２２Ｂを同時起動して、撮像領域１２内の被写体を照明する。
　【０１０８】
　また、このステップＱ５で、ＣＰＵ３０は第２デジタルカメラ２１Ｂをモニタモードにて駆動し、このデジタルカメラ２１Ｂからの画像データをＣＰＵ３０を介してディスプレイ１６に出力する。これによりディスプレイ１６の表示画面には一人または複数人の被写体がモニタ表示されるので、被写体がポーズを決定する場合には該ディスプレイ１６の表示画面で自身のポーズを確認することができる。さらにディスプレイ１６はポーズ決定時にタッチパネルによる入力装置１７のうちのスタートボタンをＯＮ操作するように促す。顧客は、ステップＱ５においてスタートボタンをＯＮ操作することができる。このスタートボタンのＯＮ操作が完了すると次のステップＱ６に移行する。
　【０１０９】
　このステップＱ６で、ＣＰＵ３０は切換え装置３１を介して第２デジタルカメラ２１Ｂにシャッタ信号を出力し、筐体１５側に設けられた第２デジタルカメラ２１Ａで被写体を通常アングルにて撮影する。
　【０１１０】
　上述のデジタルカメラ２１Ａ（ステップＱ４参照）または第２デジタルカメラ（ステップＱ６参照）で撮像された画像データはＣＰＵ３０に入力されるので、次のステップＱ７でＣＰＵ３０はプリンタ２６に対してプリント画像データを出力する。プリンタ２６は入力されたプリント画像データにより被写体の画像を写真シールシート３３にプリントする。
　【０１１１】
　次にステップＱ８で、ＣＰＵ３０は写真シール放出口１９の内部に設けられた搬出装置を駆動して、プリントされた写真シールを該放出口１９から放出する。
　【０１１２】
　このように図９〜図１１で示す実施例の写真シール自動販売機は、被写体を撮像するデジタルカメラ２１Ａ，２１Ｂと、被写体を照明する照明装置２２Ａ，２２Ｂと、画像や必要事項を表示する表示手段としてのディスプレイ１６と、操作を入力する入力手段としての入力装置１７と、上記カメラで撮像した被写体の写真シールをプリントして放出するプリンタ２６と、これら構成要素を制御する制御手段としてのＣＰＵ３０とを備えた写真シール自動販売機であって、上記カメラはレンズを下側に向けて天井部に設置された第１デジタルカメラ２１Ａと、筐体１５側に設けられた第２デジタルカメラ２１Ｂとを備え、上記照明装置は床部または床部近傍に配置された第１照明装置２２Ａと、筐体１５側に設けられた第２照明装置２２Ｂとを備え、上記入力装置１７の操作に基づいてデジタルカメラ２１Ａ，２１Ｂおよび照明装置２２Ａ，２２Ｂを選択して切換える切換え手段としての切換え装置３１を設けたものである。
　【０１１３】
　上記構成により、ディスプレイ１６は画像や必要事項（操作手順）を表示し、入力装置１７は顧客の操作を入力し、切換装置３１は入力装置１７の操作に基づいてデジタルカメラ２１Ａ，２１Ｂおよび照明装置２２Ａ，２２Ｂを選択して切換える。つまり第１デジタルカメラ２１Ａと第１照明装置２２Ａとを用いる第１の態様と、第２デジタルカメラ２１Ｂと第２照明装置２２Ｂとを用いる第２の態様とに切換える。
　【０１１４】
　また選択された照明装置は被写体を照明し、選択されたデジタルカメラは被写体を撮像し、プリンタ２６は当該デジタルカメラが撮像した被写体の写真シールをプリントして放出し、ＣＰＵ３０はこれら構成要素を制御する。
　【０１１５】
　この結果、何れの態様が選択されても適正な照明条件を確保することができ、顧客は通常アングルによる撮影と真上からのアングルによる撮影との何れか一方を選定することができる。
　【０１１６】
　図９〜図１１で先に示した実施例の他の実施例として、ズーム機能を有するもので前記デジタルカメラ２１Ａ及び２１Ｂを構成した場合について、フローチャートを図１１から図１２に変えて図９、図１０及び図１２を参照して説明する。
　【０１１７】
　まず図９を参照して写真シール自動販売機のハードの構造について説明すると、撮像領域１２の天井部にはそのレンズを下側に向けて第１の撮像手段としてズーム機能を備えた第１デジタルカメラ２１Ａを設ける。また、前述の筐体１５の接客面１５ａにおける上部中央には、その上側に第２の撮像手段としてズーム機能を備えた第２デジタルカメラ２１Ｂを設ける。
　【０１１８】
　この実施例では、図１０に示す写真シール自動販売機の制御回路について、上記各デジタルカメラ２１Ａ，２１Ｂには切換え装置３１からシャッタ信号及びズーム信号が入力されるように構成している。
　【０１１９】
　その他のハードの構造及び構成については先の実施例と同様である。
　【０１２０】
　このように構成した写真シール自動販売機の作用を、図１２に示すフローチャートを参照して、以下に詳述する。
　被写体としての一人または複数人の顧客が図９に示す撮像領域１２に入り、貨幣投入口１８から貨幣を投入すると、貨幣処理装置２４からの処理信号がＣＰＵ３０に入力される。
　【０１２１】
　ステップＱ１で、ＣＰＵ３０は上記処理信号により貨幣が投入されたか否かを判定し、ＹＥＳ判定時にのみ次のステップＱ２に移行する。
　このステップＱ２で、ＣＰＵ３０はディスプレイ１６に操作手順などを表示すると共に、被写体に天井撮影モードまたは通常撮影モードを選択するように促す。なお、このモード選択の前段階においてディスプレイ１６で天井からの撮影モニタ画像と筐体側からの撮影モニタ画像との双方を表示して、選択を促すようにしてもよい。顧客は、このステップＱ２においてタッチパネル構成の入力装置１７を用いて何れかのモードを選択し、ＣＰＵ３０は何れのモードが選択されたのかを判定する。
　【０１２２】
　このステップＱ２で天井撮影モードが選択されたとＣＰＵ３０が判定した時にはステップＱ３に移行し、通常撮影モードが選択されたとＣＰＵ３０が判定した時には別のステップＱ６に移行する。
　【０１２３】
　まず第１の態様に相当するステップＱ３，Ｑ４，Ｑ５について述べると、上述のステップＱ３で、ＣＰＵ３０は切換え装置３１を介して床部（または床部近傍）に設置された第１照明装置２２Ａに対して照明制御信号を出力し、図９に示す左右の各第１照明装置２２Ａ，２２Ａを同時起動して、撮像領域１２内の被写体を照明する。
　【０１２４】
　また、このステップＱ３で、ＣＰＵ３０は第１デジタルカメラ２１Ａをモニタモードにて駆動し、このデジタルカメラ２１Ａからのビデオ出力信号をモニタ装置２８に出力する。これによりモニタ装置２８の画面には一人または複数人の被写体がモニタ表示されるので、被写体が撮像サイズ及びポーズを決定する場合には該モニタ装置２８の画面で自身の撮像サイズ及びポーズを確認することができる。
　【０１２５】
　次のステップＱ４で、ＣＰＵ３０はディスプレイ１６に操作手順などを表示すると共に、被写体にデジタルカメラ２１Ａのズームイン又はズームアウトを入力装置１７にて操作するように促す。被写体の操作に従ってＣＰＵ３０はデジタルカメラ２１Ａにズーム信号を出力し、天井部に設けられたデジタルカメラ２１Ａをズームイン又はズームアウトさせる。このとき、モニタ装置２８の画面及びディスプレイ１６に表示される被写体もズームイン又はズームアウトされるので、被写体はモニタ装置２８の画面又はディスプレイ１６で自身の撮像サイズを確認することができる。
　なお、デジタルカメラ２１Ａのズームイン又はズームアウトを操作する入力手段は、入力装置１７に加えてモニタ装置２８にタッチパネルを重ねて構成してもよいし、ロータリスイッチ、スライドスイッチ又は切替えスイッチ等のスイッチにて、モニタ装置２８の近傍など被写体がモニタ装置２８で自身を確認しつつ操作できる範囲に構成してもよい。
　【０１２６】
　さらにディスプレイ１６はポーズ決定時にタッチパネルによる入力装置１７のうちのスタートボタンをＯＮ操作するように促す。顧客は、ステップＱ４においてスタートボタンをＯＮ操作することができる。このスタートボタンのＯＮ操作が完了すると次のステップＱ５に移行する。
　【０１２７】
　このステップＱ５で、ＣＰＵ３０は切換え装置３１を介して第１デジタルカメラ２１Ａにシャッタ信号を出力し、天井部に設けられた第１デジタルカメラ２１Ａで被写体を真上から見下ろし撮影する。
　【０１２８】
　つぎに第２の態様に相当するステップＱ６，Ｑ７，Ｑ８について述べると、上述のステップＱ６で、ＣＰＵ３０は切換え装置３１を介して筐体１５側に設置された第２照明装置２２Ｂに対して照明制御信号を出力し、図９に示す左右の各第２照明装置２２Ｂ，２２Ｂを同時起動して、撮像領域１２内の被写体を照明する。
　【０１２９】
　また、このステップＱ６で、ＣＰＵ３０は第２デジタルカメラ２１Ｂをモニタモードにて駆動し、このデジタルカメラ２１Ｂからの画像データをＣＰＵ３０を介してディスプレイ１６に出力する。これによりディスプレイ１６の表示画面には一人または複数人の被写体がモニタ表示されるので、被写体が撮像サイズ及びポーズを決定する場合には該ディスプレイ１６の表示画面で自身の撮像サイズ及びポーズを確認することができる。
　【０１３０】
　次のステップＱ７で、ＣＰＵ３０はディスプレイ１６に操作手順などを表示すると共に、被写体にデジタルカメラ２１Ｂのズームイン又はズームアウトを入力装置１７にて操作するように促す。被写体の操作に従ってＣＰＵ３０はデジタルカメラ２１Ｂにズーム信号を出力し、筐体１５に設けられたデジタルカメラ２１Ｂをズームイン又はズームアウトさせる。このとき、ディスプレイ１６に表示される被写体もズームイン又はズームアウトされるので、被写体はディスプレイ１６で自身の撮像サイズを確認することができる。
　なお、デジタルカメラ２１Ｂのズームイン又はズームアウトを操作する入力手段は、ロータリスイッチ、スライドスイッチ又は切替えスイッチ等のスイッチにて、ディスプレイ１６の近傍など被写体がディスプレイ１６で自身を確認しつつ操作できる範囲に構成してもよい。
　【０１３１】
　さらにディスプレイ１６はポーズ決定時にタッチパネルによる入力装置１７のうちのスタートボタンをＯＮ操作するように促す。顧客は、ステップＱ７においてスタートボタンをＯＮ操作することができる。このスタートボタンのＯＮ操作が完了すると次のステップＱ８に移行する。
　【０１３２】
　このステップＱ８で、ＣＰＵ３０は切換え装置３１を介して第２デジタルカメラ２１Ｂにシャッタ信号を出力し、筐体１５側に設けられた第２デジタルカメラ２１Ａで被写体を通常アングルにて撮影する。
　【０１３３】
　上述のデジタルカメラ２１Ａ（ステップＱ５参照）または第２デジタルカメラ（ステップＱ８参照）で撮像された画像データはＣＰＵ３０に入力されるので、次のステップＱ９でＣＰＵ３０はプリンタ２６に対してプリント画像データを出力する。プリンタ２６は入力されたプリント画像データにより被写体の画像を写真シールシート３３にプリントする。
　【０１３４】
　次にステップＱ１０で、ＣＰＵ３０は写真シール放出口１９の内部に設けられた搬出装置を駆動して、プリントされた写真シールを該放出口１９から放出する。
　【０１３５】
　なお、図９〜図１２に示すこれらの実施例においても、その他の点については先の実施例とほぼ同様の作用、効果を奏するので、図９〜図１２において前図と同一の部分には同一符号を付して、その詳しい説明を省略する。
　【０１３６】
　また上記各実施例において撮像領域１２を囲繞する部分の少なくとも一部にはレフ板を構成する部材と同一または略同一の白い布等（反射部材）を用いて、光の反射により陰影が形成されるのを防止すべく構成してもよい。
　【０１３７】
　また、上記各実施例の制御動作を実行させるプログラムを記憶した記憶媒体は、筐体１５の内部にハードディスク等で構成してもよいし、ＣＤ（Ｃｏｍｐａｃｔ　Ｄｉｓｋ）、ＤＶＤ（Ｄｉｇｉｔａｌ　Ｖｅｒｓａｔｉｌｅ　Ｄｉｓｋ）、ＦＤ（Ｆｌｏｐｐｙ　Ｄｉｓｋ）、ＭＯ（Ｍａｇｎｅｔｏ　Ｏｐｔｉｃａｌ　Ｄｉｓｋ）、Ｚｉｐ（ジップ）、リムーバブルハードディスク等の外部記憶媒体で構成しても良い。
　【０１３８】
　この発明の構成と、上述の実施例との対応において、
　この発明の撮像手段は、実施例のデジタルカメラ２１に対応し、
　以下同様に、
　照明手段は、照明装置２２に対応し、
　表示手段は、ディスプレイ１６に対応し、
　入力手段は、入力装置１７に対応し、
　制御手段は、ＣＰＵ３０に対応し、
　ポーズ確認手段は、ミラー２３またはモニタ装置２８に対応し、
　第１の撮像手段は、第１デジタルカメラ２１Ａに対応し、
　第２の撮像手段は、第２デジタルカメラ２１Ｂに対応し、
　第１の照明手段は、第１照明装置２２Ａに対応し、
　第２の照明手段は、第２照明装置２２Ｂに対応し、
　印刷手段は、プリンタ２６に対応し、
　切換え手段は、切換え装置３１に対応し、
　記憶媒体は、ハードディスク３２に対応し、
　写真シール自動販売用写真シールシートは、写真シールシート３３に対応するも、
　この発明は、上述の実施例の構成のみに限定されるものではない。
　【０１３９】
　【発明の効果】
　この発明によれば、被写体を真上から見下ろし撮像することができ、斬新なカメラアングルでの撮像写真シールを得ることができる効果がある。
　【０１４０】
　加えて、被写体の人物が天井に向いた状態で撮像するとき、被写体が天井向きの撮像ポーズのままで真上から見たポーズの確認ができ、希望するポーズが取りやすい効果がある。
【図面の簡単な説明】
　【図１】　本発明の写真シール自動販売機を示す斜視図。
　【図２】　写真シール自動販売機の制御回路を示すブロック図。
　【図３】　撮像乃至プリント処理を示すフローチャート。
　【図４】　本発明の写真シール自動販売機の他の実施例を示す斜視図。
　【図５】　制御回路を示すブロック図。
　【図６】　撮像乃至プリント処理を示すフローチャート。
　【図７】　本発明の写真シール自動販売機のさらに他の実施例を示す制御回路ブロック図。
　【図８】　撮像乃至プリント処理を示すフローチャート。
　【図９】　本発明の写真シール自動販売機のさらに他の実施例を示す斜視図。
　【図１０】　制御回路を示すブロック図。
　【図１１】　撮像乃至プリント処理を示すフローチャート。
　【図１２】　ズーム使用時の撮像乃至プリント処理を示すフローチャート。
　【符号の説明】
　１２…撮像領域
　１５…筐体
　１６…ディスプレイ（表示手段）
　１７…入力装置（入力手段）
　２１…デジタルカメラ（撮像手段）
　２１Ａ…第１デジタルカメラ（第１の撮像手段）
　２１Ｂ…第２デジタルカメラ（第２の撮像手段）
　２２…照明装置（照明手段）
　２２Ａ…第１照明装置（第１の照明手段）
　２２Ｂ…第２照明装置（第２の照明手段）
　２３…ミラー（ポーズ確認手段）
　２６…プリンタ（印刷手段）
　２８…モニタ装置（ポーズ確認手段）
　３０…ＣＰＵ（制御手段）
　３１…切換え装置（切換え手段）
　３２…ハードディスク
　３３…写真シールシート